(57)【特許請求の範囲】
【請求項１】
少なくとも２本のボトルと該ボトルを包む筒状包装材とで構成される包装体であって、筒状包装材の周方向の複数箇所に切り込みを入れ、２箇所の該切り込みに挟まれた部分を筒の内側へ折り込み反転させた折り込み部が設けられ、該折り込み部の上側の縁部が第1のボトルの底部に接するとともに該折り込み部の下側の縁部が第２のボトルの肩部に接しており、かつ第１のボトルの底部と第２のボトルの肩部より突出した蓋部の頂部とが離間した状態を維持するように該折り込み部が設けられてなる包装体。
【請求項２】
２箇所の該切込みが平行であると共に、筒状包装材の筒の延長方向と垂直である請求項１に記載の包装体。
【請求項３】
折り込み部が複数設けられてなる請求項１又は２に記載の包装体。
【請求項４】
筒状包装材が透明である請求項１〜３のいずれかに記載の包装体。
【発明の詳細な説明】
【技術分野】
【０００１】
本発明は２本以上のボトルと該ボトルを包む筒状包装材とで構成される包装体に関し、詳しくは、該ボトルの底部に刻印される製造管理情報を視認できる包装体に関する。
【背景技術】
【０００２】
毛髪洗浄剤、化粧品等のボトル類を収容する包装体用として筒状包装材が汎用されている。
例えば、特許文献１では、薄肉化されたプラスチックボトルと該プラスチックボトルの胴部を被覆する特定形状の板紙による筒状体とからなる複合容器が提案されている。
また、特許文献２では、収容するボトルの係止手段として筒状包装材に切り込みを入れた複合容器が開示されている。
しかしながら、これらの包装体は、いずれも１本のボトルを収容するものであり、２本以上のボトルを筒状包装材に収容した場合、上側のボトル底面が下側のボトルの蓋部の頂部と接するので、上側のボトル底面に印刷される、製造ロット番号、バーコード、製造日、品質保証期限等の製造管理情報を見ることができないという問題があった。
【０００３】
【特許文献１】特開平１０−１３９０６８号公報
【特許文献２】特開平１０−１３９０６７号公報
【発明の開示】
【発明が解決しようとする課題】
【０００４】
上述の問題を解決するため、本発明は、２本以上のボトルと該ボトルを包む筒状包装材とで構成される包装体であって、上側のボトル底面の製造管理情報を視認できる包装体を提供することを課題とする。
【課題を解決するための手段】
【０００５】
本発明は、  少なくとも２本のボトルと該ボトルを包む筒状包装材とで構成される包装体であって、筒状包装材の周方向の複数箇所に切り込みを入れ、２箇所の該切り込みに挟まれた部分を筒の内側へ折り込み反転させた折り込み部が設けられ、該折り込み部の上側の縁部が第1のボトルの底部に接するとともに該折り込み部の下側の縁部が第２のボトルの肩部に接しており、かつ第１のボトルの底部と第２のボトルの肩部より突出した蓋部の頂部とが離間した状態を維持するように該折り込み部が設けられてなる包装体を提供するものである。
【発明の効果】
【０００６】
本発明により、２本以上のボトルと該ボトルを包む筒状包装材とで構成される包装体であって、上側のボトル底面の製造管理情報を視認できる包装体を提供することができる。
製造管理情報を視認できることにより、筒状包装材等に製造管理情報を印刷又は刻印する必要がなく、また、製造管理情報を印刷又は刻印した紙等の封入が省けるため、包装体の生産性が飛躍的に向上することとなった。
【発明を実施するための最良の形態】
【０００７】
本発明の包装体の実施態様について、図面を参照して説明する。図１は、本発明の包装体の一例を示す模式図であり、図２は、図１の包装体を右側から見た模式図である。
本発明の包装体１０は、図１及び２に示すように、ボトルＡ１１、ボトルＢ１２及び筒状包装材２０からなる。ここで、ボトルの数は２本に限られず、３本以上であってもよい。また、ボトルＡ１１とボトルＢ１２の形状は同一であってもよいし、異なっていてもよい。
ボトルＡの底部１１−ａ及びボトルＢの底部１２−ａには、製造ロット番号、バーコード、製造日、品質保証期限等の製造管理情報が印刷又は刻印されている。そして、ボトルＢの肩部１２−ｂより蓋部１２−ｃが突出していることを要する。
【０００８】
図１及び２に示す筒状包装材２０には、上側の切れ込み２１−ａと下側の切れ込み２１−ｂとが設けられ、それらの切れ込み２１−ａ及び２１−ｂに挟まれた部分を筒の内側へ折り込み反転させて折り込み部２３が形成されている。この折り込み部２３の上側の縁部２３−ａにボトルＡの底部１１−ａが接しており、折り込み部２３の下側の縁部２３−ｂにボトルＢの肩部１２−ｂが接している。折り込み部２３の幅の寸法をボトルＢの蓋部１２−ｃの上下間の寸法より大きくしており、ボトルＡの底部１１−ａとボトルＢの蓋部１２−ｃの頂部との間に離間部分２４が存在するため、ボトルＡの底部１１−ａの製造管理情報を視認できる。
【０００９】
図３は、本発明の包装体の筒状包装材にボトルを収容する工程模式図である。以下、図３−ａ乃至図３−ｅを参照して、筒状包装材２０にボトルＡ１１及びボトルＢ１２を収容して本発明の包装体１０を得る工程を説明する。
まず、筒状包装材２０に上側の切れ込み２１−ａ及び下側の切れ込み２１−ｂを、同じ長さで、周方向に所定間隔でずれることなく設ける。（図３−ａ）
次に、上側の切れ込み２１−ａ及び下側の切れ込み２１−ｂに挟まれた部分を筒の内側へ折り込み反転させて、筒の内部に折り込み部２３を形成する。（図３−ｂ）
そして、筒状包装材２０の下段にボトルＢ１２を下から差し込む。ボトルＢ１２は、折り込み部２３の下側の縁部２３−ｂにボトルＢの肩部１２−ｂが接することにより位置決めされ、固定される。（図３−ｃ）
その後、筒状包装材２０の上段にボトルＡ１１を上から差し込む。ボトルＡ１１は、折り込み部２３の上側の縁部２３−ａにボトルＡの底部１１−ａが接することにより位置決めされ、固定される。（図３−ｄ）
折り込み部２３の幅の寸法は、ボトルＢの蓋部１２−ｃの上下の寸法より大きいので、ボトルＡの底部とボトルＢの蓋部の頂部との間の離間部分２４が形成され、その離間部分２４により、ボトルＡの底部１１−ａの製造管理情報を上側の切れ込み２１−ａ及び下側の切れ込み２１−ｂに挟まれた部分を通して斜め外から視認できる。（図３−ｅ）
【００１０】
本発明の包装体１０に用いられる筒状包装材２０に設けられる上側の切れ込み２１−ａ及び下側の切れ込み２１−ｂが平行であると共に筒状包装材２０の筒の延長方向と垂直であることが好ましい。ボトルＡ１１とボトルＢ１２とをより安定に位置決め及び固定できるからである。
【００１１】
次に、本発明の包装体の筒状包装材２０として、図４を参照して、折り込み部２３を複数有する実施態様を説明する。
図４に示す筒状包装材２０には、第１セットの上側の切れ込み２１−ａと第１セットの下側の切れ込み２１−ｂからなる第１の切れ込みセットと、第２セットの上側の切れ込み２２−ａと第２セットの下側の切れ込み２２−ｂからなる第２の切れ込みセットとが設けられ、切れ込み２１−ａ及び２１−ｂに挟まれた部分を筒の内側へ折り込み反転させた折り込み部２３と、切れ込み２２−ａ及び２２−ｂに挟まれた部分を筒の内側へ折り込み反転させた折り込み部２３との２組の折り込み部が形成されている。これら２組の折り込み部２３の第１の折り込み部の上側の縁部２３−ａ及び第２の折り込み部の上側の縁部２３−ｃにボトルＡの底部１１−ａが接しており、第１の折り込み部の下側の縁部２３−ｂ及び第２の折り込み部の下側の縁部２３−ｄにボトルＢの肩部１２−ｂが接している。折り込み部２３の幅の寸法をボトルＢの蓋部１２−ｃの上下間の寸法より大きくしており、ボトルＡの底部１１−ａとボトルＢの蓋部１２−ｃの頂部との間に離間部分２４が存在するため、ボトルＡの底部１１−ａの製造管理情報を視認できる。折り込み部２３が複数あると、ボトルＡ１１及びボトルＢ１２がより安定に収容されるので好ましい。
上記の第１の折り込み部と第２の折り込み部とが筒状包装材２０の略同一半径内で相互に略１８０度反対側に対向することが、複数のボトルのより安定な位置決め及び固定を得るために好ましい。
【００１２】
図５は、本発明の包装体の折り込み部２３を複数有する実施態様において、筒状包装材にボトルを収容する工程模式図である。以下、図５−ａ乃至図５−ｅを参照して、筒状包装材２０にボトルＡ１１及びボトルＢ１２を収容して本発明の包装体１０を得る工程を説明する。
まず、筒状包装材２０の側面に上側の切れ込み２１−ａ及び２２−ａ並びに下側の切れ込み２１−ｂ及び２２−ｂを設ける。切れ込み２１−ａと２２−ａとは、同一半径内であって、１８０度反対側に対向している。切れ込み２１−ｂと２２−ｂとの関係も同じである。また、切れ込み２１−ａと２１−ｂとの関係及び切れ込み２２−ａと２２−ｂとの関係は、図３−ａと同様である。（図５−ａ）
次に、上側の切れ込み２１−ａ及び下側の切れ込み２１−ｂに挟まれた部分並びに上側の切れ込み２２−ａ及び下側の切れ込み２２−ｂに挟まれた部分を、夫々筒の内側へ折り込み反転させて、筒の内部に２組の折り込み部２３を形成する。（図５−ｂ）
そして、筒状包装材２０の下段にボトルＢ１２を下から差し込む。ボトルＢ１２は、第１の折り込み部の下側の縁部２３−ｂ及び第２の折り込み部の下側の縁部２３−ｄにボトルＢの肩部１２−ｂが接することにより位置決めされ、固定される。（図５−ｃ）
その後、筒状包装材２０の上段にボトルＡ１１を上から差し込む。ボトルＡ１１は、第１の折り込み部の上側の縁部２３−ａ及び第２の折り込み部の上側の縁部２３−ｃにボトルＡの底部１１−ａが接することにより位置決めされ、固定される。（図５−ｄ）
折り込み部２３の幅の寸法は、ボトルＢの蓋部１２−ｃの上下の寸法より大きいので、図１〜３の実施態様と同様に、ボトルＡの底部とボトルＢの蓋部の頂部との間の離間部分２４が形成され、その離間部分２４により、ボトルＡの底部１１−ａの製造管理情報を第１セットの上側の切れ込み２１−ａ及び下側の切れ込み２１−ｂに挟まれた部分並びに第２セットの上側の切れ込み２２−ａ及び下側の切れ込み２２−ｂに挟まれた部分を通して斜め外から視認できる。（図５−ｅ）
このように、折り込み部２３が複数あると、視認するための開口部が増え、視認性が向上する。
【００１３】
以上、本発明の包装体の実施態様として、図１〜３に折り込み部２３を１箇所のみ有する例を、図４及び５に折り込み部２３を２箇所有する例を説明したが、本発明の包装体は、折り込み部２３の数を制限するものではなく、例えば、折り込み部２３を３箇所又は４〜６箇所有していてもよい。従って、切れ込みの数も複数あればよく、制限されない。例えば、２〜１２箇所切れ込みを設けてもよい。
【００１４】
本発明の包装体１０に用いられる筒状包装材２０の材料は、ポリエチレン、ポリプロピレン等のプラスチックや紙類等の、可撓性があり、ボトルを出し入れし易いものであれば何でもよい。
また、本発明においては、上側の切れ込み２１−ａ及び下側の切れ込み２１−ｂに挟まれた部分を通してボトルＡの底部１１−ａの製造管理情報を視認すればよいので、筒状包装材２０は、必ずしも透明である必要は無いが、ボトルＡの底部１１−ａに印刷又は刻印された製造管理情報を筒状包装材２０の周囲どこからでも視認できるようにするためには、筒状包装材２０が透明であることが好ましい。透明で視認できれば、無色であっても、着色であってもよい。
【００１５】
本発明の包装体１０に用いられるボトルは、その肩部より突出した蓋部を有する瓶体又は箱体であればよく、円筒状又は断面形状が楕円、多角形もしくはそれらの複合形状である瓶体又は箱体のいずれでもよい。該ボトルの材料として、プラスチック、ガラス、金属、陶器、磁器又は紙類等が挙げられる。
【産業上の利用可能性】
【００１６】
本発明の包装体は、毛髪洗浄剤、毛髪保護剤、化粧品、医薬品、香辛料、洗剤、食品又は飲料等の各種粉体、粒体又は液体を充填するボトル類を収容する包装体として好適に用いられる。
【図面の簡単な説明】
【００１７】
【図１】本発明の包装体の一例を示す模式図である。
【図２】図１の包装体を右側から見た模式図である。
【図３】本発明の包装体の筒状包装材にボトルを収容する工程模式図である。
【図４】本発明の包装体の他の一例を示す模式図である。
【図５】本発明の包装体の他の一例の筒状包装材にボトルを収容する工程模式図である。
【符号の説明】
【００１８】
１０：包装体
１１：ボトルＡ
１１−ａ：ボトルＡの底部
１２：ボトルＢ
１２−ａ：ボトルＢの底部
１２−ｂ：ボトルＢの肩部
１２−ｃ：ボトルＢの蓋部
２０：筒状包装材
２１−ａ：第１セットの上側の切れ込み
２１−ｂ：第１セットの下側の切れ込み
２２−ａ：第２セットの上側の切れ込み
２２−ｂ：第２セットの下側の切れ込み
２３：折り込み部
２３−ａ：第１の折り込み部の上側の縁部
２３−ｂ：第１の折り込み部の下側の縁部
２３−ｃ：第２の折り込み部の上側の縁部
２３−ｄ：第２の折り込み部の下側の縁部
２４：ボトルＡの底部とボトルＢの蓋部の頂部との間の離間部分
【図１】
0004825585.tif 000002
【図２】
0004825585.tif 000003
【図３】
0004825585.tif 000004
【図４】
0004825585.tif 000005
【図５】
0004825585.tif 000006